(57)【要約】【課題】擬似餌を構成する頭部と胴部との折れ曲がるような動きを確実に実現することの可能な釣り用擬似餌を提供することを解決すべき課題とする。【解決手段】釣り糸Ｌが装着される頭部２と、この頭部にその後方へ向けて延設され釣り針Ａが装着される胴部３と、これらの頭部と胴部とを上下に相対回動自在に連結する枢軸４を備え、前記頭部若しくは胴部の一方の質量が他方の質量より大きい材料によって形成されていることを特徴とする。【選択図】図１
2019097487.tif 000002
【特許請求の範囲】
【請求項１】
釣り糸が装着される頭部と、この頭部にその後方へ向けて延設され釣り針が装着される胴部と、これらの頭部と胴部とを上下に相対回動自在に連結する枢軸を備え、前記頭部若しくは胴部の一方の質量が他方の質量より大きい材料によって形成されていることを特徴とする釣り用擬似餌。
【請求項２】
前記胴部が、その長さ方向に複数に分割された複数の胴部構成体によって構成されているとともに、これらの胴部構成体間に、これらの胴部構成体を上下に相対回動自在に連結する枢軸が設けられていることを特徴とする請求項１に記載の釣り用擬似餌。
【請求項３】
前記枢軸がその軸線方向に２分割された一対の枢軸構成体によって構成されているとともに、これらの枢軸構成体が、その軸線方向に螺合させられることにより着脱可能に連結されていることを特徴とする請求項１または請求項２に記載の釣り用擬似餌。
【請求項４】
前記釣り用疑似餌が烏賊釣り用の疑似餌であり、前記釣り針が多針フックであり、この釣り針が前記胴部の後端部にその前後方向に沿って装着されていることを特徴とする請求項１ないし請求項３の何れかに記載の釣り用擬似餌。
【請求項５】
前記釣り用疑似餌が魚釣り用の疑似餌であり、前記釣り針がＪ字状の釣り針若しくはトリプルフックであり、前記胴部に前記釣り針が装着されるアイが設けられていることを特徴とする請求項１ないし請求項３の何れかに記載の釣り用疑似餌。
【発明の詳細な説明】
【技術分野】
【０００１】
本発明は、魚や烏賊等の釣りに用いられる擬似餌に関するものである。
【背景技術】
【０００２】
従来、この種の擬似餌として、たとえば、特許文献に示されるような擬似餌が提案されている。
【０００３】
この技術は、擬似餌本体を長さ方向に２分割して構成した一対の本体構成体を、枢軸を介して回動自在に連結した構成としたものである。
【０００４】
そして、一方の本体構成体を釣り糸に結び、他方の本体構成体に釣り針を装着した状態で用いられる。
【０００５】
また、この釣り用擬似餌は、擬似餌本体を海中に投入するとともに、この擬似餌本体を釣り糸によって引くことにより、水の抵抗を利用して、前記２分割された本体構成体を上下に相対回動させ、その動きによって魚や烏賊を誘い込むようにしている。
【先行技術文献】
【特許文献】
【０００６】
【特許文献１】登録実用新案第３０４６６９８号公報
【発明の概要】
【発明が解決しようとする課題】
【０００７】
前述した従来の擬似餌にあっては、一対の本体構成体の相対回動によって擬似餌本体に折れ曲がるような動きを与えるようにしているが、つぎのような改善すべき問題点が残されている。
【０００８】
すなわち、水の抵抗を受けた際に、この抵抗が一対の本体構成体全体に作用することから、擬似餌本体が一体的な動きとなりやすく、前述した本体構成体の相対的な回動が抑制されてしまうといった問題点である。
【０００９】
したがって、前記一対の本体構成体の折れ曲がるような動きが抑制され、この折れ曲がる動きによる烏賊の誘導効果が低減してしまうことが想定される。
【００１０】
本発明は、前述した従来の技術において残されている問題点に鑑みてなされたもので、擬似餌を構成する頭部と胴部との折れ曲がるような動きを確実に実現することの可能な釣り用擬似餌を提供することを解決すべき課題とする。
【課題を解決するための手段】
【００１１】
本発明の釣り用擬似餌は、釣り糸が装着される頭部と、この頭部にその後方へ向けて延設され釣り針が装着される胴部と、これらの頭部と胴部とを上下に相対回動自在に連結する枢軸を備え、前記頭部が質量の大きい材料によって形成されているとともに、前記胴部が質量の小さい材料によって形成されていることを特徴としている。
【００１２】
本発明の釣り用擬似餌は、前記頭部を釣り糸に結び、この釣り糸によって前記頭部を引き寄せつつ水中を遊泳させる。
このような水中遊泳に際して、水の抵抗が擬似餌に全体的に作用する。
【００１３】
ここで本発明では、前記頭部を質量の大きな材料によって形成し、前記胴部を質量の小さな材料によって形成してあることにより、これらの頭部および胴部に作用する水の抵抗を一定とした場合、前記頭部よりも前記胴部の動きが大きくなる。
【００１４】
この結果、前記頭部に対する前記胴部の折れ曲がるような動きが円滑に行なわれ、魚や烏賊に対する誘い込み効果を有効に発揮することができる。
【００１５】
前記胴部を、その長さ方向に複数に分割された複数の胴部構成体によって構成し、これらの胴部構成体間を、複数の枢軸によって上下に相対回動自在に連結することもできる。
【００１６】
このような構成とすることにより、前記胴部の折れ曲がるような動きを多様化して、前述した誘い込み効果を向上させることができる。
【００１７】
また、前記枢軸を、その軸線方向に２分割された一対の枢軸構成体によって構成するとともに、これらの枢軸構成体を、その軸線方向に螺合させて着脱可能に連結した構成とすることができる。
【００１８】
このような構成とすることにより、前記枢軸を取り外すことによって、前記胴部を前記頭部から切り離したり再装着することができる。
【００１９】
魚や烏賊を釣り上げる場合、前記胴部に食いつく魚や烏賊を、この胴部に装着されている釣り針にかける。
したがって、前記胴部は傷つきやすいため、前記枢軸を前記構成することにより、前記胴部の取り替えを可能にすることができる。
【００２０】
そして、前記釣り用疑似餌を烏賊釣り用として用いる場合、前記釣り針を多針フックとし、この釣り針を前記胴部の後端部にその前後方向に沿って装着する。
【００２１】
また、前記釣り用疑似餌を魚釣り用の疑似餌として用いる場合、前記釣り針をＪ字状の釣り針若しくはトリプルフックとし、この釣り針を、前記胴部に装着したアイを用いて前記胴部に取り付ける。
【発明の効果】
【００２２】
本発明によれば、擬似餌を構成する頭部と胴部の動きを異ならせて、これらの折れ曲がるような動きを確実に実現することができる。
【図面の簡単な説明】
【００２３】
【図１】本発明の第１の実施形態を示す側面図である。
【図２】本発明の第１の実施形態を示す平面図である。
【図３】本発明の第１の実施形態を示すもので、胴部を断面した状態の分解平面図である。
【図４】本発明の第１の実施形態の側面図である。
【図５】本発明の第２の実施形態を示す側面図である。
【図６】本発明の第３の実施形態を示す側面図である。
【発明を実施するための形態】
【００２４】
以下、本発明の第１の実施形態について、図１ないし図４を参照して説明する。
これらの図において、符号１は、本実施形態に係わる釣り用擬似餌（以下、擬似餌と略称する）を示す。
【００２５】
前記擬似餌１は、魚や海老などを模したもので、釣り糸Ｌ（図４参照）に取り付けられる頭部２と、この頭部２にその後方へ向けて延設され釣り針Ａが装着される胴部３と、これらの頭部２と胴部３とを上下に相対回動自在に連結する枢軸４を備え、前記頭部２若しくは胴部３の一方の質量が他方の質量より大きい材料によって形成されている。
【００２６】
本実施形態においては、前記頭部２が質量の大きな材料によって形成されており、この質量の大きい材料として、たとえば、鉛等が用いられ、前記質量の小さな材料として、たとえば、シリコーン樹脂や発泡樹脂等が用いられる。
【００２７】
前記頭部２の後部には、後方へ向けて連結片２ａが一体に連設されており、この連結片２ａの略中央部には、その厚さ方向に沿って貫通孔５が形成されている。
【００２８】
前記胴部３の前部には、前方へ向けて開口された係合溝３ａが形成されているとともに、この係合溝３ａを挟んで位置させられた両側壁には、前記係合溝３ａに連通させられ、かつ、前記胴部３の幅方向に沿った貫通孔６がそれぞれ同軸状に形成されている。
【００２９】
前記各貫通孔６は、前記胴部３の側面に開口する大径部６ａと、この大径部６ａに連続し、前記係合溝３ａ内に開口する小径部６ｂが形成されている。
【００３０】
そして、前記頭部２に設けられている前記連結片２ａは、前記胴部３に形成されている前記係合溝３ａに遊嵌状態で挿入されるようになされ、かつ、前記連結片２ａに形成されている前記貫通孔５が、前記胴部３に形成されている貫通孔６に同軸上に位置させられるようになっている。
【００３１】
前記枢軸４は、その長さ方向に２分割された一対の枢軸構成体７・８によって構成されている。
【００３２】
これらの枢軸構成体７・８は、前記胴部３に形成されている前記貫通孔６の大径部６ａと略等しい外径を有する鍔部７ａ・８ａと、各鍔部７ａ・８ａに同軸上に連設され、前記胴部３に形成されている前記貫通孔６の小径部６ｂに嵌合させられる軸部７ｂ・８ｂが形成されている。
【００３３】
また、一方の前記軸構成体７（８）の前記軸部７ａ（８ａ）には、その先端部に雄ねじ９が連設され、他方の前記軸構成体８（７）の前記軸部８ａ（７ａ）には、その先端部に開口し前記雄ねじ９が螺着される雌ねじ１０が形成されている。
【００３４】
さらに、前記頭部２の先端上部には、前記釣り糸Ｌが取り付けられるアイ１１が一体に設けられ、前記胴部３の後端部には、烏賊釣り用の複数のフックからなる釣り針Ａが装着されている。
【００３５】
このように構成された本実施形態の擬似餌１は、図３に矢印（イ）で示すように、前記頭部２の前記連結片２ａを前記胴部３の前記係合溝３ａ内に挿入して、それぞれに形成されている前記貫通孔５・６が同軸となるように重畳させる。
【００３６】
ついで、図３に矢印（ロ）で示すように、前記胴部３の両側部から、前記重畳させられた前記貫通孔５・６に、それぞれ枢軸構成体７・８を挿入して、これらの枢軸構成体７・８を螺着する。
【００３７】
これによって、前記頭部２と前記胴部３が前記枢軸４によって上下に回動自在に連結されて、本実施形態の擬似餌１が構成される。
【００３８】
この擬似餌１は、前記頭部２に形成されたアイ１１に釣り糸Ｌを結び、水中に投入することによって釣りに供される。
【００３９】
そして、水中に投入された前記擬似餌１は、前記釣り糸Ｌを引くことにより、水中を遊泳させられる。
【００４０】
前記擬似餌１が水中を遊泳させられると、水の抵抗が前記擬似餌１に作用する。
ここで、前記擬似餌１の前記頭部２が前記胴部３に比して質量が大きく設定されていることにより、前記頭部２の動きが鈍く前記胴部３の動きが速い。
【００４１】
この結果、図４に破線で示すように、前記擬似餌１が、前記頭部２と前記胴部３との連結部において折れ曲がるように確実に相対回動させられる。
このように、前記擬似餌１の折れ曲がるような動きが確実に得られることにより、魚や烏賊に対する誘い込み効果を有効に確保することができる。
【００４２】
一方、魚や烏賊を釣り上げることにより、魚や烏賊の食いつきによって前記胴部３が損傷することがある。
【００４３】
このような場合には、前記枢軸４を取り外すことにより傷ついた前記胴部３を取り外し、逆の操作によって新しい胴部３に交換することができる。
【００４４】
なお、前記実施形態において示した各構成部材の諸形状や寸法等は一例であって設計要求等に基づき種々変更可能である。
【００４５】
たとえば、図５に示すように、前記胴部３を、その長さ方向に複数に分割された複数の胴部構成体１２・１３によって構成し、これらの胴部構成体１２・１３を、前記枢軸４と同様の枢軸４によって上下に相対回動自在に連結した構成とすることもできる。
【００４６】
このような構成とすることにより、図５に破線で示すように、前記胴部３の折れ曲がりの形態に変化を与えることができる。
【００４７】
また、前記疑似餌１を魚釣り用として用いる場合、図６に示すように、前記胴部３の腹や尾に環状のアイ１４を装着し、このアイ１４にＪ字状の釣り針若しくはトリプルフックを装着する。
【符号の説明】
【００４８】
１  （釣り用）擬似餌
２  頭部
２ａ  連結片
３  胴部
３ａ  係合溝
４  枢軸
５  貫通孔
６  貫通孔
６ａ  大径部
６ｂ  小径部
７  枢軸構成体
７ａ  鍔部
７ｂ  軸部
８  枢軸構成体
８ａ  鍔部
８ｂ  軸部
９  雄ねじ
１０  雌ねじ
１１  アイ
１２  胴部構成体
１３  胴部構成体
１４  アイ
Ａ  釣り針
Ｌ  釣り糸
【図１】
2019097487.tif 000003
【図２】
2019097487.tif 000004
【図３】
2019097487.tif 000005
【図４】
2019097487.tif 000006
【図５】
2019097487.tif 000007
【図６】
2019097487.tif 000008
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
釣り糸が装着される頭部と、この頭部にその後方へ向けて延設され釣り針が装着される胴部と、これらの頭部と胴部とを上下に相対回動自在に連結する枢軸を備え、前記頭部が質量の大きい材料によって形成され、前記胴部が質量の小さい材料によって形成されていることを特徴とする釣り用擬似餌。
【請求項２】
前記胴部が、その長さ方向に複数に分割された複数の胴部構成体によって構成されているとともに、これらの胴部構成体間に、これらの胴部構成体を上下に相対回動自在に連結する枢軸が設けられていることを特徴とする請求項１に記載の釣り用擬似餌。
【請求項３】
前記枢軸がその軸線方向に２分割された一対の枢軸構成体によって構成されているとともに、これらの枢軸構成体が、その軸線方向に螺合させられることにより着脱可能に連結されていることを特徴とする請求項１または請求項２に記載の釣り用擬似餌。
【請求項４】
前記釣り用疑似餌が烏賊釣り用の疑似餌であり、前記釣り針が多針フックであり、この釣り針が前記胴部の後端部にその前後方向に沿って装着されていることを特徴とする請求項１ないし請求項３の何れかに記載の釣り用擬似餌。
【請求項５】
前記釣り用疑似餌が魚釣り用の疑似餌であり、前記釣り針がＪ字状の釣り針若しくはトリプルフックであり、前記胴部に前記釣り針が装着されるアイが設けられていることを特徴とする請求項１ないし請求項３の何れかに記載の釣り用疑似餌。